(57)【要約】【課題】表示部を縦長状態と横長状態に切換操作可能な折り畳み式通信端末として、操作部ユニットのキー設置スペースの制約を受けることなく、操作キーを増設して操作性を向上させる。【解決手段】受話用スピーカ孔９を有する表示部ユニット２を表示部６が縦長状態及び横長状態に切換操作可能となるように支持部ユニット（４）に回転可能に支持し、この支持部ユニット（４）と、操作部５及び送話用マイク孔８を有する操作部ユニット１とをヒンジ部３により開閉自在に連結した折り畳み式通信端末において、表示部ユニット２の表示部６を有する面には、表示部６が縦長状態の時に、ヒンジ部３側から最も離れた位置となる側縁部に受話用スピーカ孔９が設けられ、且つ、ヒンジ部３側となる側面に、表示部６が横長状態の時に使用される操作キー１３・１４・１５が設けられている。【選択図】図３
2009038471.tif 000002
【特許請求の範囲】
【請求項１】
表示部及び受話用スピーカを有する表示部ユニットと、
この表示部ユニットを前記表示部が縦長状態及び横長状態に切換操作可能となるように回転可能に支持する支持部ユニットと、
操作部及び送話用マイクを有する操作部ユニットと、
この操作部ユニットと前記支持部ユニットとを開閉自在に連結するヒンジ部とを備える折り畳み式通信端末において、
前記表示部ユニットの前記表示部を有する面には、
前記表示部が縦長状態の時に、前記ヒンジ部側から最も離れた位置となる側縁部に前記受話用スピーカが設けられ、且つ、前記ヒンジ部側となる側面に、前記表示部が横長状態の時に使用される操作キーが設けられていることを特徴とする折り畳み式通信端末。
【発明の詳細な説明】
【技術分野】
【０００１】
本発明は、表示部を縦長状態と横長状態に切換操作可能に備える折り畳み式通信端末に関する。
【背景技術】
【０００２】
通話機能を備えた通信端末、例えば携帯電話機では、近年、通話機能だけでなく、電子メールの送受信機能、デジタルカメラ機能、録音再生機能、スケジュール管理機能、通信履歴管理機能、ｗｅｂページ閲覧機能（ブラウザ機能）、テレビ受信機能など多数の付加機能を備えるようになってきている。
従来の一般的な折り畳み式携帯電話機において、表示画面は縦長であるが、ｗｅｂページ閲覧やテレビ視聴では、表示画面が横長の方が望ましい。
また、可能であれば、受信メールの確認や、メールの作成、文書の作成、カメラで撮影した画像の表示等も横長表示で行える方が便利である。
【０００３】
このため、表示部を縦長状態及び横長状態に切り換えることができるようにした折り畳み式携帯電話機も提供されている（例えば特許文献１、２参照）。
【特許文献１】特開２００３−３１９０４３号公報
【特許文献２】特開２００６−２１１５７６号公報
【発明の開示】
【発明が解決しようとする課題】
【０００４】
しかし、これらの特許文献１、２に開示の折り畳み式携帯電話機では、表示部を大きくするために、操作キーは操作側ユニットに設けられている。
上述した付加機能の選択や機能選択後の各種指示は、操作側ユニットに設けられているキー、例えば十字キーや決定キー（センターキー）、テンキー、専用のアプリケーション起動キーで行なっていた。
付加機能の選択（起動）は、十字キーと決定キーの操作、或いは専用のアプリケーション起動キーの操作で行なわれるが、付加機能が多数ある場合、十字キーと決定キーの操作では、所望の付加機能を選択するために何回もキー操作を行わなければならない。また、専用のアプリケーション起動キーは、スペース的な制約から多数設けることはできない。
【０００５】
本発明の課題は、表示部を縦長状態と横長状態に切換操作可能な折り畳み式通信端末として、操作部ユニットのキー設置スペースの制約を受けることなく、操作キーを増設して操作性を向上させることである。
【課題を解決するための手段】
【０００６】
以上の課題を解決するため、請求項１に記載の発明は、表示部及び受話用スピーカを有する表示部ユニットと、この表示部ユニットを前記表示部が縦長状態及び横長状態に切換操作可能となるように回転可能に支持する支持部ユニットと、操作部及び送話用マイクを有する操作部ユニットと、この操作部ユニットと前記支持部ユニットとを開閉自在に連結するヒンジ部とを備える折り畳み式通信端末において、前記表示部ユニットの前記表示部を有する面には、前記表示部が縦長状態の時に、前記ヒンジ部側から最も離れた位置となる側縁部に前記受話用スピーカが設けられ、且つ、前記ヒンジ部側となる側面に、前記表示部が横長状態の時に使用される操作キーが設けられていることを特徴とする。
【発明の効果】
【０００７】
本発明によれば、操作部ユニットのキー設置スペースの制約を受けることなく、表示部ユニットに操作キーを増設して操作性を向上させることができる。
【発明を実施するための最良の形態】
【０００８】
以下、図を参照して本発明を実施するための最良の形態を詳細に説明する。
図１から図３は本発明を適用した通信端末の一実施形態の構成として携帯電話機を示したもので、１は操作部ユニット、２は支持部ユニット、３はヒンジ部、４は表示部ユニット、５は操作部、６はメイン表示部、７はサブ表示部、８は送話用マイク孔、９は受話用スピーカ孔、１１はＴＶアンテナ、１２はアンテナ収納部、１３・１４・１５はアプリケーション用の操作キー、１６はインカメラ用の窓である。
【０００９】
図１及び図２に示すように、操作部ユニット１に対し表示部ユニット２がヒンジ部３及び支持部ユニット４を介して折り畳み自在に結合されている。すなわち、図１に示した折り畳み状態において、操作部ユニット１の各種操作キーによる操作部５を設けた面に、表示部ユニット２の表示窓によるメイン表示部６を設けた面が重なり、その表示部ユニット２上に重なる支持部ユニット４上に表示窓によるサブ表示部７が設けられている。そして、図２及び図３に示すように、支持部ユニット４に対し表示部ユニット２がメイン表示部６を縦長状態と横長状態に切換操作可能となるように回転可能に支持されている。
【００１０】
ここで、操作部ユニット１には、操作部５を設けた面側でヒンジ部３と反対側の側縁部に送話マイク孔８が設けられている。
【００１１】
表示部ユニット２には、メイン表示部６を設けた面側で一方の側縁部に受話用スピーカ孔９が設けられている。この受話用スピーカ孔９は、図２に示したように、メイン表示部６の縦長状態において、ヒンジ部３と最も離れた位置となる。また、表示部ユニット２の受話用スピーカ孔９と反対側の側面からは、図３に示したように、ロッドアンテナによるＴＶアンテナ１１が突出可能となっており、このＴＶアンテナ１１は、基端部１１ａ、ピンジョイント１１ｂ、スリーブ１１ｃ及びロッド１１ｄより構成され、不使用時において、表示ユニット２の筐体内に形成されたアンテナ収納部１２に収納可能である。
【００１２】
そして、表示部ユニット２の受話用スピーカ孔９と反対側の端面にアプリケーション用の操作キー、すなわち、図示例では３個の操作キー１３・１４・１５が設けられている。この３個の操作キーは、実施例では、ＴＶスイッチ（ＴＶモード起動ボタン）１３及びチャンネル切換スイッチ（＋方向ボタンと−方向ボタン）１４・１５である。
【００１３】
なお、表示部ユニット２の受話用スピーカ孔９の側方には、インカメラ用の窓、すなわち、自分撮り用のカメラ用の窓１６が形成されている。
【００１４】
また、ヒンジ部３は、操作部ユニット１の操作部５を設けた面側で送話用マイク孔８と反対側に設けた左右一対のボス１７に対し、支持部ユニット４の筐体端部に設けた突出基部１８がヒンジピン１９（図５参照）を介して回転自在に結合されている。
【００１５】
図４は折り畳み状態での携帯電話機の縦断側面を示したもので、２１はカメラ、２２はメイン表示器（ＬＣＤ）、２３は受話用スピーカ、２４はサブ表示器（ＬＣＤ）、２５はガイド部材、２６はリンク部材である。すなわち、操作部ユニット１には、操作部５の裏面側に向くカメラ２１が組み込まれている。表示部ユニット２には、メイン表示部６に対応するＬＣＤによるメイン表示器２２、受話用スピーカ孔９に対応する受話用スピーカ２３が組み込まれている。支持部ユニット４には、サブ表示部７に対応するＬＣＤによるサブ表示器２４、ガイド部材２５等が組み込まれるとともに、リンク部材２６が組み付けられている。
【００１６】
図５は表示部ユニット２及び支持部ユニット４を分解状態として操作部ユニット１とともに示したものである。
【００１７】
表示部ユニット２は、裏ケース２７内に中ケース２８及び回路基板２９を組み込んで前面保護板３１を取り付けた筐体構成となっている。図示のように、裏ケース２７には穴３２が形成されている。中ケース２８には、裏ケース２７の前記穴３２を通して、前記リンク部材２６をネジ止めする一対のボス３３及び前記アンテナ収納部１２が形成されている。回路基板２９には、自己撮影用カメラ（インカメラ）３４、スイッチ板３５及び前記受話用スピーカ２３が組み付けられている。前面保護板３１には、印刷部による見切り部３６、前記表示窓（メイン表示部）６、受話用スピーカ孔９及びインカメラ用窓１６が形成されている。
【００１８】
なお、回路基板２９の図示下面側に前記メイン表示器２２が設けられている。また、前記スイッチ板３５はＦＰＣで構成されており、例えば前記メイン表示器２２のＬＣＤに接続されるＦＰＣの一部をスイッチ板３５としている。
【００１９】
支持部ユニット４は、裏ケース３７に前面板３８を取り付けた筐体構成となっている。図示のように、裏ケース３７には前記表示窓（サブ表示部）７及び突出基部１８が設けられている。前面板３８には、切欠部３９が形成されるとともに、その周囲において、前記ガイド部材２５をネジ止めする３点部分４１が形成されている。
【００２０】
また、前面板３８にネジ止めされるガイド部材２５には、半円弧状の左右方向ガイド溝４２が形成されるとともに、直線状の上下方向ガイド溝４３が形成されている。そして、裏ケース２７の穴３２を通して、中ケース２８の一対のボス３３にネジ止めされるリンク部材２６には、ガイド部材２５の左右方向ガイド溝４２に係合してスライドするピン４４が設けられるとともに、上下方向ガイド溝４３に係合してスライドするピン４５も設けられている。
【００２１】
従って、表示部ユニット２と一体化したリンク部材２６のピン４４が、支持部ユニット４と一体化したガイド部材２５の半円弧状の左右方向ガイド溝４２に係合してスライドすると同時に、ピン４５が直線状の上下方向ガイド溝４３に係合してスライドすることで、表示部ユニット２は、支持部ユニット４に対し、メイン表示部６を縦長状態（縦長表示）及び横長状態（横長表示）に切換操作することができる。
【００２２】
また、地上波デジタルＴＶ放送では、殆どのチャネルが水平偏波なので、ＴＶアンテナ１１は、図３に示すメイン表示部６を横長状態としたビュースタイル時において、通常、実線で示しているように、表示部ユニット２の側面から突出する基端部１１ａでピンジョイント１１ｂによりスリーブ１１ｃ及びロッド１１ｄを横に曲げて水平にする。
【００２３】
以上のように、実施形態では、表示部ユニット２を回転させてメイン表示部６を縦長状態（縦長表示）及び横長状態（横長表示）に切り換えることができる折り畳み式携帯電話機において、メイン表示部６が縦長状態の時、つまり、通話等が行える通常の使用状態時にヒンジ部３側（操作部ユニット１側）となる表示部ユニット２の端面に、メイン表示部６の横長状態で使用されるアプリケーションのための操作キー１３・１４・１５を設けている。
従って、操作部ユニット１の操作部（各種操作キー）５及び送話用マイク孔８以外のキー設置スペースの制約を受けることなく、メイン表示部６の横長状態におけるアプリケーション用の操作キー１３・１４・１５を表示部ユニット２に増設することができ、その操作性を向上させることができる。
【００２４】
そして、メイン表示部６が縦長状態の時に、表示部ユニット２のヒンジ部３側から最も離れた位置となる側縁部には、受話用スピーカ２３（受話用スピーカ孔９）が設けられている。
従って、メイン表示部６を横長状態にした際に、その横長状態のメイン表示部６が左右対称になるようにすると、表示部ユニット２の左右の非表示エリアには、一方の側縁部に受話用スピーカ２３（受話用スピーカ孔９）が位置して、他方の側縁部にアプリケーション用の操作キー１３・１４・１５が位置する構成であるので、デザイン性を損なうことなく操作キー１３・１４・１５を増設することができ、操作性も向上することができる。
【００２５】
また、増設した操作キー１３・１４・１５は、メイン表示部６が縦長状態の通常使用時において、ヒンジ部３近傍にあるので、操作できない、又は操作し辛いものとなって、誤操作が防げるといった利点も得られる。
【００２６】
なお、実施形態のように、表示部ユニット２の短辺側端面にＴＶモード起動ボタン１３とチャンネル切換ボタン（＋方向ボタン１４と−方向ボタン）１４・１５を設けた場合、音量調節は、例えば操作部５の十字キーで行うようにする。
さらに、ＴＶ関連の操作キーとしては、ＴＶモード起動ボタンとチャンネル切換ボタン（＋方向ボタンと−方向ボタン）に限らず、音量調整ボタン（＋方向ボタンと−方向ボタン）等もあり、その一部、又は全てを表示部ユニット２の短辺側端面に設けるようにすれば良い。
また、ＴＶ関連の操作キーとしてＴＶモード起動ボタンだけでも良い。この場合、音量調節は、例えば操作部５の十字キーの左右キーで行い、チャンネル切換は、例えば十字キーの上下キーで行うようにすれば良い。
また、ＴＶモード起動ボタンが、例えば操作部ユニット１に設けられている場合には、チャンネル切換ボタン（＋方向ボタンと−方向ボタン）、及び又は、音量調整ボタン（＋方向ボタンと−方向ボタン）を表示部ユニット２の短辺側端面に設けるようにすれば良い。
【００２７】
図６は変形例を説明するための表示部ユニット２を示したもので、その短辺側端面には、図示のように、メイン表示部６に表示されているモードに対応する、図示例では８個の操作キー（例えば表示モード対応起動ボタン）６１・６２・６３・６４・６５・６６・６７・６８が設けられている。
具体的には、例えばＴＶモード起動ボタン６１、ｗｅｂ閲覧に特化したキーボタンとして例えばｗｅｂ閲覧モード起動ボタン６２、スチルカメラやビデオカメラなどのカメラに特化したキーボタンとして例えばカメラモード起動ボタン６３、画像再生モードに特化したキーボタンとしてスチルモードやムービーモードなどの例えば画像再生モード起動ボタン６４、メールに特化したキーボタンとして例えばメールモード起動ボタン６５、文書作成モード起動ボタン６６、その他、ゲームに特化したキーボタンとして例えばゲームモード起動ボタン６７等である。
【００２８】
ここで、ｗｅｂ閲覧に特化したキーボタンとしては、モード起動ボタンに限らず、他の機能ボタンでも良い。
また、カメラ（スチルカメラ、ビデオカメラ）に特化したキーボタンとしては、モード起動ボタンに限らず、ズームボタンでも良く、他の機能ボタンでも良い。
また、画像再生モードに特化したキーボタンとしては、スチルモードやムービーなどのモード起動ボタンに限らず、例えばムービーモードの場合に音量調整ボタンでも良く、他の機能ボタンでも良い。
また、メールに特化したキーボタンとしては、メールモード起動ボタンに限らず、メール作成ボタンや受信ホルダボタンや送信ホルダボタンでも良く、他の機能ボタンでも良い。
また、ゲームに特化したキーボタンとしては、ゲームモード起動ボタンに限らず、音量調整ボタンでも良く、他の機能ボタンでも良い。
【００２９】
なお、以上の実施形態においては、携帯電話機としたが、本発明はこれに限定されるものではなく、ＰＤＡ、トランシーバ、その他の折り畳み式通信端末であっても良い。
また、操作キーの種類や数等も任意であり、その他、具体的な細部構造等についても適宜に変更可能であることは勿論である。
【図面の簡単な説明】
【００３０】
【図１】本発明を適用した通信端末の一実施形態の構成を示すもので、携帯電話機の折り畳み状態を示した斜視図である。
【図２】携帯電話機を開いて表示部を縦長状態とした通話スタイル時を示した斜視図である。
【図３】図１の表示部を横長状態としたビュースタイル時を示した斜視図である。
【図４】図１の折り畳み状態での携帯電話機の縦断側面図である。
【図５】表示部ユニット及び支持部ユニットを分解状態として操作部ユニットとともに示した斜視図である。
【図６】変形例を説明するための表示部ユニットの平面図である。
【符号の説明】
【００３１】
１  操作部ユニット
２  支持部ユニット
３  ヒンジ部
４  表示部ユニット
５  操作部
６  表示部
８  送話用マイク孔
９  受話用スピーカ孔
１３・１４・１５  アプリケーション用の操作キー
２３  受話用スピーカ
６１・６２・６３・６４・６５・６６・６７・６８  表示モードの操作キー
【図１】
2009038471.tif 000003
【図２】
2009038471.tif 000004
【図３】
2009038471.tif 000005
【図４】
2009038471.tif 000006
【図５】
2009038471.tif 000007
【図６】
2009038471.tif 000008